(57)【要約】      （修正有）【課題】追加のエネルギー入力を使用せずに、凝固した相変化物質を伝熱回路の構成要素から除去する。【解決手段】冷媒回路に含まれたエネルギー変換デバイスと、伝熱回路の１つの構成要素から、凝固した前記相変化物質を低減または除去する低減手段と、を有し、低減手段が、エネルギー変換デバイスから供給されるエネルギーで駆動される、暖房および／または冷房システム及び、凝固した相変化物質を低減または除去する方法。【選択図】図１
2020165639.tif 000002
【特許請求の範囲】
【請求項１】
凝固する相変化物質を含む伝熱媒体を備えた暖房および／または冷房システムであって、
前記伝熱媒体を循環させるように構成された回路と、
前記伝熱媒体内の凝固した前記相変化物質を低減させる低減手段と、
循環する前記伝熱媒体のエネルギー形態を、異なるエネルギー形態に変換するように構成されたエネルギー変換デバイスと
を備え、
前記異なるエネルギー形態のエネルギーは、前記低減手段を駆動する、
暖房および／または冷房システム。
【請求項２】
前記低減手段は、前記回路の該当する構成要素から、前記相変化物質を低減させる、
請求項１に記載の暖房および／または冷房システム。
【請求項３】
内部に冷媒を循環させるように構成された冷媒回路と、
前記冷媒回路と前記伝熱媒体との間で熱交換する熱交換器と
を備え、
前記該当する構成要素は、前記熱交換器である、
請求項２に記載の暖房および／または冷房システム。
【請求項４】
前記低減手段は、
前記該当する構成要素に取り付けられた加熱デバイスと、
前記該当する構成要素上および／または前記該当する構成要素内に振動を発生させるデバイスと、
前記伝熱媒体の脈流を発生させるデバイスと、
前記該当する構成要素内の伝熱媒体流路に少なくとも一部分が沿って延びた、前記該当する構成要素内の回転ネジと、
前記該当する構成要素内の伝熱媒体流路に少なくとも一部分が沿って延びて、前記該当する構成要素の表面に接触している刃または接触可能な刃を少なくとも１つ備え、前記暖房および／または冷房システムの稼働中に表面が前記伝熱媒体に接触する、掻き取りデバイスと、
超音波を前記該当する構成要素に衝突させるデバイスと、
少なくとも１つの圧電トランスデューサを備えたデバイスと、
のうちの何れかを備える、
請求項２または３に記載の暖房および／または冷房システム。
【請求項５】
前記エネルギー変換デバイスは、前記冷媒によって輸送された前記エネルギーから電気エネルギーを発生させるように構成された発生装置を備え、
前記低減手段は電気で駆動され、前記エネルギー変換デバイスと前記低減手段とは電気的に接続される、
請求項３に記載の暖房および／または冷房システム。
【請求項６】
前記エネルギー変換デバイスは、タービンまたはターボ膨張器を備えるか、あるいは、タービンまたはターボ膨張器である、
請求項１〜５の何れか一項に記載の暖房および／または冷房システム。
【請求項７】
前記タービンまたは前記ターボ膨張器は、シャフトによって前記低減手段に接続される、
請求項６に記載の暖房および／または冷房システム。
【請求項８】
前記低減手段は、ギアボックスおよび／またはベルトを介して、前記エネルギー変換デバイスに接続される、請求項６に記載の暖房および／または冷房システム。
【請求項９】
前記冷媒回路は膨張手段を備え、前記膨張手段は前記エネルギー変換デバイスの一部分であり、前記エネルギー変換デバイスは、前記冷媒を膨張させることによって、前記目標エネルギー形態のエネルギーを発生させる、
請求項３に記載の暖房および／または冷房システム。
【請求項１０】
前記冷媒回路は、圧縮機と、凝縮器と、蒸発器とを備える、
請求項３に記載の暖房および／または冷房システム。
【請求項１１】
前記回路は、前記伝熱媒体および／または前記相変化物質を貯蔵するように構成された貯蔵デバイスおよび／または貯蔵タンクを備える、
請求項１〜１０の何れか一項に記載の暖房および／または冷房システム。
【請求項１２】
前記伝熱媒体は、相変化スラリーを備えるか、あるいは、相変化スラリーである、
請求項１〜１１の何れか一項に記載の暖房および／または冷房システム。
【請求項１３】
伝熱媒体を循環させるように構成された回路の該当する構成要素から、凝固した相変化物質を低減または除去する方法であって、
前記伝熱媒体によって輸送されたエネルギーの形態が、異なるエネルギー形態に変換され、
当該変換によって生成された前記異なるエネルギー形態の前記エネルギーは、凝固した前記相変化物質を、前記該当する構成要素から低減するために使用される、
方法。
【請求項１４】
前記方法は、請求項１〜１２の何れか一項に記載の暖房および／または冷房システムによって実施される、
請求項１３に記載の方法。
【発明の詳細な説明】
【技術分野】
【０００１】
本開示は、冷媒回路内に含まれたエネルギー変換デバイスと、凝固した相変化物質を伝熱回路の構成要素から低減および／または除去するための低減手段とを有する暖房および／または冷房システムであって、低減手段はエネルギー変換デバイスから供給されたエネルギーによって駆動される、暖房および／または冷房システムに関する。本開示は、凝固した相変化物質を低減または除去するための方法にも関する。
【背景技術】
【０００２】
暖房および／または冷房用のシステムは、通常、内部に冷媒を循環させる冷媒回路を備える。この種のシステムは、内部に伝熱媒体を循環させる伝熱回路を更に備える。これらシステムの中には、伝熱媒体が、例えば相変化スラリー（ＰＣＳ：ｐｈａｓｅ  ｃｈａｎｇｅ  ｓｌｕｒｒｙ）としての相変化物質を含み得る、または、相変化物質となり得るものがある。このような暖房および／または冷房システムは、例えば、ＨＶＡＣ（ｈｅａｔｉｎｇ，ｖｅｎｔｉｌａｔｉｏｎ  ａｎｄ  ｃｏｏｌｉｎｇ）システム、すなわち、暖房、換気および冷房システムとすることができる。
【発明の概要】
【発明が解決しようとする課題】
【０００３】
従来のＰＣＳ  ＨＶＡＣシステムにおいて、スラリーは貯蔵タンクで生成されてからシステム内を輸送されるか、あるいは、熱交換器などの熱交換面においてまたはファンコイルユニットなどの暖房端末において生成されるかのいずれかである。システム内のスラリー生成箇所では、相変化プロセス中に、結晶が形成されて堆積され得る。
【０００４】
いくつかの文献に、沈殿した結晶を生成器または伝熱面から掻き取るための機械式デバイスを提供することを提案しているものがある。当該提案は、そのような掻き取りデバイスを作動させるために追加のエネルギー入力を必要とすることが多い。追加のエネルギー入力は、システムの効率を低下させる。
【０００５】
したがって、本開示が解決しようとする課題は、どのようにして、追加のエネルギー入力を使用せずに、凝固した相変化物質を伝熱回路の構成要素から除去するかである。
【課題を解決するための手段】
【０００６】
この課題は、請求項１に記載の暖房および／または冷房システムと、請求項１３に記載の凝固した相変化物質を低減または除去する方法とによって解決される。対応する従属請求項には、本システムおよび本方法の有利な実施形態が記載されている。
【０００７】
本開示は、暖房および／または冷房システムに関する。したがって、本システムは、例えば空気または水としての、媒体を加熱および／または冷却するためのシステムとすることができる。空気は、例えば、部屋の空気とすることができる。水は、例えば、家庭内の水とすることができる。
【０００８】
本システムは、暖房用のシステム、あるいは、冷房用のシステムとすることができる。ただし、冷暖房用のシステムとすることもできる。この場合は、システムにおいて、暖房モードと冷房モードとの間の切り換えが可能である。システムは、例えば、ヒートポンプまたは空調装置とすることができる。
【０００９】
本開示によると、システムは、内部に冷媒を循環させるように構成された冷媒回路を備える。通常、このような冷媒回路は、導管または管によって互いに接続された複数の構成要素を備える。この場合、冷媒は、導管または管を通ってこれらの構成要素の間を流れる。有利な一実施形態において、冷媒回路は、圧縮機と、凝縮器と、１つ以上の膨張手段と、蒸発器とを備えることができる。これらは、管によってこの順に直列に接続される。
【００１０】
本開示によると、冷媒回路は、冷媒によって輸送されたエネルギーを目標エネルギー形態のエネルギーに変換するように構成されたエネルギー変換デバイスを備える。ここで、エネルギー変換デバイスは、冷媒によって輸送された如何なる種類のエネルギーでも任意の形態のエネルギーに変換可能な任意の装置とすることができる。ここで、それぞれのエネルギー形態を目標エネルギー形態と称する。好適な一実施形態において、冷媒は、その動きによって、および／または、その圧力によって、エネルギーを輸送できる。冷媒の動きによって輸送されるエネルギーは、例えば運動エネルギーである。冷媒の圧力によって輸送されるエネルギーは、例えば、冷媒を膨張させることによって異なるエネルギー形態に変換可能な、ポテンシャルエネルギーである。目標エネルギー形態は、例えば、回転、振動、脈動、および／または、周期的振動の形態での運動エネルギーまたは機械エネルギーとしての何らかのエネルギーの適した形態、あるいは、他の機械エネルギー形態とすることができる。別の例において、目標エネルギー形態は、エネルギー変換デバイスが発生させた電気エネルギーとすることができる。以下に記載する凝固した相変化物質を低減および／または除去する手段の駆動に適したエネルギー形態であれば、他の何れのエネルギー形態でも採用可能である。
【００１１】
本開示による暖房および／または冷房システムは、伝熱媒体を循環させるように構成された伝熱回路を更に備える。この伝熱媒体は、相変化物質を含むか、または、相変化物質である。当該相変化物質は、例えば、上記のような相変化スラリー（ＰＣＳ）とすることができる。エネルギー変換デバイスは、循環される伝熱媒体のエネルギー形態を、異なるエネルギー形態に変換するように構成されている。当該異なるエネルギー形態は、相変化物質を低減させる低減手段を駆動する。
【００１２】
伝熱回路は、例えば管を介して互いに接続された、１つ以上の構成要素を備えることができる。この場合、伝熱媒体は、これらの管内を循環することで、１つ以上の構成要素を通過することができる。上述したように、相変化物質は、伝熱回路の１つ以上の構成要素の内部に凝固部分を形成し得る。以下においては、凝固した相変化物質の形成が予想される１つ以上の構成要素を、「該当する構成要素（concerned component）」と称することとする。
【００１３】
本開示によると、伝熱回路は、凝固した相変化物質を伝熱回路の「該当する構成要素（concerned component）」から低減および／または除去する低減手段を備える。原則として、この発明概念は、如何なる種類のこのような低減手段によっても実施可能である。
【００１４】
本開示によると、低減手段は、エネルギー変換デバイスによって供給された目標エネルギー形態のエネルギーによって駆動されるように構成されている。これは、目標エネルギー形態のエネルギーを低減手段に伝達するように構成された接続手段を介して、低減手段がエネルギー変換デバイスに接続されることを意味する。このような伝達手段は、目標エネルギー形態のエネルギーが機械エネルギーである場合は、例えば、シャフト、ロッド、ベルト、ギア、ギアボックス、または同様の手段とすることができる。目標の形態が電気エネルギーである場合、伝達手段は、例えばケーブルとしての、例えば導電要素とすることができる。
【００１５】
多くの実施形態において、凝固した相変化物質は熱交換器内で形成される。熱交換器は、暖房および／または冷房システム内の冷媒回路と伝熱回路との間に配置可能であり、冷媒回路と伝熱回路との間で熱を伝達するように構成可能である。通常、このような熱交換器は、暖房システムの場合、熱を冷媒回路から伝熱回路に伝達する。冷房システムの場合、熱交換器は、通常、熱を伝熱回路から冷媒回路に伝達する。したがって、このようなシステムでは、「該当する構成要素（concerned component）」は、この熱交換器であり得る。
【００１６】
本開示は、原則として、凝固した相変化物質を「該当する構成要素（concerned component）」から低減および／または除去するために適した低減手段であれば如何なる低減手段によっても実施可能である。このような手段は、例えば超音波、超音波振動、脈流、等々を発生させるための超音波デバイス、または、圧電デバイス等とすることができる。
【００１７】
好ましくは、低減手段は、「該当する構成要素（concerned component）」の表面、例えば第１の熱交換器の表面、に取り付けられる加熱デバイス、および／または、「該当する構成要素（concerned component）」、例えば前記熱交換器、の上または中に振動を発生させるためのデバイス、および／または、伝熱媒体内に脈流を発生させるためのデバイス、および／または、「該当する構成要素（concerned component）」内の伝熱媒体の流路に少なくとも部分的に沿って延びる少なくとも１つの回転ネジを「該当する構成要素（concerned component）」内に備えたデバイスとすることができる。さらに、低減手段は、「該当する構成要素（concerned component）」内の掻き取りデバイスを有するか、あるいは、「該当する構成要素（concerned component）」内の掻き取りデバイスとすることができる。掻き取りデバイスは、「該当する構成要素（concerned component）」内の冷却流路に沿って少なくとも部分的に延びている。このような掻き取りデバイスは、例えば、凝固した相変化物質の形成が予想される表面に接触させることができる刃を複数備える。
【００１８】
好適な一実施形態において、エネルギー変換デバイスは、冷媒によって輸送されたエネルギーから電気エネルギーを発生させるように構成された発生装置を備えることができる。この場合、低減手段は、好ましくは電気で駆動され、例えば１本以上のケーブルによって、エネルギー変換デバイスに電気的に接続される。
【００１９】
有利な一実施形態において、エネルギー変換デバイスは、タービンまたはターボ膨張器を備えるか、あるいは、タービンまたはターボ膨張器とすることができる。この種の装置は、例えば、機械的運動を生じさせることができる。この機械的運動は、例えば上記のような機械式伝達手段によって低減手段に伝達可能であり、あるいは、電気エネルギーを発生させる前記発生装置を駆動するために使用可能である。
【００２０】
本開示の好適な一実施形態において、冷媒回路は膨張手段を備えることができる。この膨張手段は、エネルギー変換デバイスの一部とすることができる。このような種類の膨張手段の例としては、前記タービンまたは前記ターボ膨張器がある。ここで、目標エネルギー形態のエネルギーは、冷媒を膨張させることによって生成される。したがって、このような種類の膨張手段は、その高圧に起因して、冷媒によって輸送されるエネルギーを特に使用する。
【００２１】
有利な一実施形態において、伝熱回路は、伝熱媒体および／または相変化物質を貯蔵するように構成された貯蔵デバイスおよび／または貯蔵タンクを備えることができる。このような貯蔵デバイスまたは貯蔵タンクは、一定量の熱の貯蔵を可能にする。これは、本システムによって実現される暖房および／または冷房の融通性を高める。
【００２２】
以下においては、いくつかの図を参照して本開示の複数の実施の形態について説明する。これらの実施の形態に関して記載されている特徴は、それぞれの実施の形態とは独立に実施することも可能であり、複数の異なる実施の形態間で組み合わせることも可能である。
【図面の簡単な説明】
【００２３】
【図１】本開示による暖房および／または冷房システムを示す図である。
【図２】タービンの一例を示す図である。
【図３】ターボ膨張器の一例を示す図である。
【図４】本開示の効果を示したＰ‐ｈ線図である。
【発明を実施するための形態】
【００２４】
図１は、本開示による暖房および／または冷房システムを示す。図１において、システムは、暖房システムまたは冷房システムと見なされるものとする。冷媒回路１内の冷媒の流動方向は、システムが暖房システムであるか冷房システムであるかを決定する。システムは、適した四方弁を冷媒回路１に導入することによって、暖房および冷房の両方を行えるようにも設計可能である。
【００２５】
図１に示されているシステムは、内部に冷媒を循環させるように構成された冷媒回路１を備える。この冷媒回路は凝縮器２を備える。凝縮器２は、ファン３と共に、ファンコイルユニットを形成する。この例における冷媒回路１は、冷媒回路１内を循環する冷媒を圧縮するように構成された圧縮機４を更に備える。図１の冷媒回路は、電動弁５を更に備える。冷媒回路１は、冷媒回路１と伝熱回路７との間で熱交換を行える熱交換器６を更に備える。冷媒回路１は、オプションの受液器８を更に有する。
【００２６】
本開示によると、エネルギー変換デバイスが冷媒回路１に含まれる。図１の例において、このエネルギー変換デバイス９は、膨張器兼発生器を有する。エネルギー変換デバイス９は、冷媒回路１に流れる冷媒を膨張させ、それによって、電気エネルギーを発生させる発生装置を駆動するように構成されている。エネルギー変換デバイス９は、循環される伝熱媒体のエネルギー形態を、異なるエネルギー形態に変換するように構成されている。また、エネルギー変換デバイス９は、冷媒によって輸送されたエネルギーを、目標エネルギー形態のエネルギーに変換するように構成されている。
【００２７】
伝熱回路７は、伝熱回路７内の伝熱媒体を移動させるためのポンプ１２、ここではローブポンプ１２、を備える。本開示によると、伝熱媒体は、相変化物質、特に相変化スラリー、を含むか、あるいは、当該相変化物質である。ポンプ１２は、一端が熱交換器６の伝熱回路側に接続され、反対側の他端が、オプション使用の貯蔵タンク１３に接続されている。
【００２８】
貯蔵タンク１３は、２つの室内機１４ａおよび１４ｂに接続される。更なるポンプ１５が、この図では貯蔵タンク１３の最下部に位置する貯蔵タンク１３のポートと、貯蔵タンク１３に直接接続された室内機１４ａおよび１４ｂのそれぞれポートとは反対側に位置する室内機１４ａおよび１４ｂのそれぞれポートとの間に、配置されている。
【００２９】
図１に示されているシステムにおいて、冷媒は次のように循環する。圧縮機４からスタートすると、圧縮機４は冷媒を圧縮し、その圧力を高める。圧縮機によって出力された高圧の冷媒は、管を通して凝縮器２の第１ポートに導かれる。凝縮器２内で、冷媒はそのエンタルピーｈを下げ、凝縮して液状冷媒になる。ファン３は、凝縮器と周囲環境との間でのエネルギー伝達を高める。
【００３０】
液状冷媒は、第２ポートを通って凝縮器２から離れ、その後、管によって弁５に案内される。液状冷媒は弁５から別の管を介して、液状冷媒の連続供給を保証する受液器８に案内される。冷媒は受液器８から管を介してエネルギー変換デバイス９、ここでは膨張器兼発生器、に導かれる。冷媒は膨張器兼発生器内で膨張され、すなわち、その圧力が下げられる。膨張デバイス９が単なる膨張弁であった場合、膨張プロセスは等エントロピーで起こる。エネルギー変換デバイスが図１のターボ膨張器９である場合、この膨張プロセスは一定の比エンタルピーｈで起こり得る。膨張プロセスによって自由になったエネルギーは、例えばギアセット１０を介して、電気発生装置を駆動する。膨張器兼発生器９を離れた後、冷媒は熱交換器６の冷媒回路側に入る。熱交換器６では、冷媒と伝熱回路７内の伝熱媒体との間で熱交換が行われる。ここで、熱交換器６の冷媒側は、蒸発器を備える。蒸発器において、冷媒はその比エンタルピーを高め、蒸発して気相になる。
【００３１】
以下においては、伝熱回路７内での、相変化物質を含む、伝熱媒体の流れを説明する。冷房用運転の場合、伝熱媒体は、熱交換器６内でエネルギーを失った後、熱交換器６の伝熱回路側を離れる。この伝熱媒体は、管を介して貯蔵タンク１３の左下ポートに導かれる。ポンプ１５は、管を介して、貯蔵タンク１３の底部にある貯蔵タンク１３のポートに接続されている。その反対側のポートは室内機１４ａおよび１４ｂのそれぞれのポートに接続されている。ポンプ１５は、伝熱媒体をタンク１３のこのポートから室内機１４ａおよび１４ｂに送り込むことができる。室内機１４ａおよび１４ｂの各々は、室内の空気などの周囲媒体と熱を交換できる熱交換器を備えている。ここで、室内機１４ａおよび１４ｂのそれぞれの熱交換器は、並列に配置されている。各室内機はファンを備える。伝熱媒体は、室内機１４ａおよび１４ｂのそれぞれの熱交換器を通過した後、タンク１３の右上の更なるポートに接続された共通の管に集められる。この管を介して、伝熱媒体は、タンク１３に流れ込む。タンク１３の左上側ポートは、複数の管およびポンプ１２を介して、熱交換器６の伝熱回路側の上側ポートに接続されている。ポンプ１２は、タンク１３からの伝熱媒体を熱交換器６に送り込むことができる。
【００３２】
図１に示されている例において、熱交換器６は、低減手段１１を伝熱回路側に備える。低減手段１１は、凝固した相変化物質を熱交換器６の伝熱媒体側から低減および／または除去するように構成されている。この低減手段１１は、発生器９によって供給されるエネルギーによって駆動されるように構成されている。膨張器９からの機械エネルギーを機械式に駆動される低減手段１１に伝達することも可能であることに注目されたい。エネルギー変換デバイス９および低減手段１１は、上記の何れにすることもできる。適した形態のエネルギーをエネルギー変換デバイス９から低減手段１１に伝達できる。
【００３３】
適した低減手段およびスラリーの一部の例が出版物「相変化物質の基礎研究および二次ループ冷却および空調システムへの応用例の概要（An overview of fundamental studies and applications of phase change material slurries to secondary loop refrigeration and air conditioning systems）」、リニューアブル・アンド・サステイナブル・エネルギー・レビュー（Renewable and Sustainable Energy Reviews）、第１６巻、２０１２年、ｐ．５０２１‐５０５８、に見出される。当該出版物は、これら手法の概要を提供している。
【００３４】
エネルギー変換手段９は、上記のようなターボ膨張器とすることができるが、当該例に限定されない。エネルギー変換手段９は、例えば、タービンとすることもできる。
【００３５】
図２は、図１に示されているエネルギー変換手段９として使用可能なタービンの一例を示す。このようなタービンは、シャフト２１の周囲に配置された複数のフィン２３ａ、２３ｂ、２３ｃを備える。図２に示されている例において、フィン２３ａ、２３ｂ、２３ｃは、各フィンがその半径方向の広がりをシャフト２１の方向に減らすような形状を有する。同時に、各フィンは、シャフト２１周りの周方向の幅をシャフト２１の方向に増大している。したがって、各フィンは、シャフト２１に垂直な平面に対して鋭角を形成する。第２のフィン２３ｂの各々は、周方向に、その隣接するフィン２３ａ、２３ｃに比べ、シャフトの方向への延長部分が半分である。タービン、特にフィン２３ａ、２３ｂ、２３ｃ、の形状は、流体がシャフト２１の長さに平行な流動方向でフィン上に流れると、タービンに対してトルクを発生させるようになっている。このトルクは、シャフト２１を中心にタービンを回転させる。この回転エネルギーを低減手段１１を駆動するために使用できる。
【００３６】
図３は、図１に示されている膨張手段９として使用可能なターボ膨張器の一例を示す。この図の上側部分は、斜視図を示し、下側部分は、ターボ膨張器の一部を通る略断面図を示す。ターボ膨張器は、複数の刃を有するロータ３２を有する。流体が導管およびノズル３１を介してロータの刃上に案内され、ひいてはロータに回転をもたらす。ロータは、所望されるエネルギー形態を発生させるために適した手段に結合可能である。例えば、電気エネルギーを発生させるための電気発生装置にロータを結合できる。この図の下側部分において、ノズルはターボ膨張器の筐体に埋め込まれており、２つの刃のみを通る横断面が示されている。
【００３７】
図４は、冷媒回路が経る熱力学サイクルの一部を示すＰ‐ｈ線図を示す。点ＡとＢＳの間の破線は、等エントロピー過程における挙動を示す。ＡとＢの間の実線は、ターボ膨張器を使用した挙動を示す。その他の線は、通常のＰ‐ｈ線図の通常の等値線である。この例は、ターボ膨張器またはタービンを本開示に記載されているようなシステムにおいて使用できることを示す。
【００３８】
上述したように、暖房および／または冷房システムは、凝固する相変化物質を含む伝熱媒体を備えている。暖房および／または冷房システムは、伝熱媒体を循環させるように構成された回路７と、伝熱媒体内の凝固した相変化物質を低減させる低減手段１１と、循環する伝熱媒体のエネルギー形態を、異なるエネルギー形態に変換するように構成されたエネルギー変換デバイス９とを備えている。異なるエネルギー形態のエネルギーは、低減手段１１を駆動する。
【００３９】
また、上述したように、暖房および／または冷房システムは、内部に冷媒を循環させるように構成された冷媒回路を備えていてもよい。その場合、冷媒回路１は、エネルギー変換デバイス９を備えている。エネルギー変換デバイス９は、冷媒によって輸送されたエネルギーを、目標エネルギー形態のエネルギーに変換するように構成されていてもよい。暖房および／または冷房システムは、伝熱媒体を循環させるように構成された伝熱回路を更に備えている。伝熱媒体は、相変化物質であるか、あるいは、相変化物質を備えている。伝熱回路７は、凝固した相変化物質を、伝熱回路７の「該当する構成要素」から低減させる、および／または、除去するための低減手段を備えている。低減手段１１は、エネルギー変換デバイス９によって提供される目標エネルギー形態のエネルギーによって駆動されるように構成されている。
【図１】
2020165639.tif 000003
【図２】
2020165639.tif 000004
【図３】
2020165639.tif 000005
【図４】
2020165639.tif 000006
【外国語明細書】
2020165639000001.pdf